(57)【要約】【課題】移動筒に付与する摩擦負荷を容易に調整できるようにする。【解決手段】固定筒（６）に移動自在に支持され、固定筒（６）に保持される移動レンズ群保持筒（４）の駆動に供される移動筒（３）と、固定筒（６）と移動筒（３）とのいずれか一方に取付けられ、他方と接触することにより、移動筒（３）に移動抵抗を付与する摩擦負荷発生部材（１１）と、移動筒（３）の移動を第１範囲に規制する第１規制手段（１５）と、第１規制手段（１５）を解除したときに、移動筒（３）を第１範囲外の第２範囲に規制する第２規制手段（８）と、移動筒が第２範囲にあるときに、固定筒（６）と移動筒（３）とのいずれか一方との摩擦負荷発生部材（１１）の接触を解除する接触解除手段（３０）とを備えている。【選択図】図１
2010008722.tif 000002
【特許請求の範囲】
【請求項１】
固定筒に移動自在に支持され、前記固定筒に保持される移動レンズ群保持筒の駆動に供される移動筒と、
前記固定筒と前記移動筒とのいずれか一方に取付けられ、他方と接触することにより、前記移動筒に移動抵抗を付与する摩擦負荷発生部材と、
前記移動筒の移動を第１範囲に規制する第１規制手段と、
前記第１規制手段を解除したときに、前記移動筒を前記第１範囲外の第２範囲に規制する第２規制手段と、
前記移動筒が第２範囲にあるときに、前記固定筒と前記移動筒とのいずれか一方との前記摩擦負荷発生部材の接触を解除する接触解除手段と
を備えていることを特徴とするレンズ鏡筒。
【請求項２】
前記摩擦負荷発生部材は板ばねであり、前記接触解除手段は前記固定筒と前記移動筒のいずれか一方の前記摩擦負荷発生部材が接触する筒に設けられた段差部であることを特徴とする請求項１記載のレンズ鏡筒。
【請求項３】
前記移動レンズ群保持筒の位置検出に供される位置検出部材を備え、前記位置検出部材と前記摩擦負荷発生部材が一体に形成されていることを特徴とする請求項１又は２記載のレンズ鏡筒。
【請求項４】
前記位置検出部材は金属板を素材とするブラシとエンコーダ部材であり、前記第２範囲においてもブラシとエンコーダ部材の接触は解除されないことを特徴とする請求項３記載のレンズ鏡筒。
【請求項５】
請求項１〜４のいずれか１項記載のレンズ鏡筒を備えていることを特徴とするカメラ。
【発明の詳細な説明】
【技術分野】
【０００１】
この発明はレンズ鏡筒及びカメラに関する。
【背景技術】
【０００２】
従来、ズームカム環が回転する際にカムフォロアを介してフォーカス駆動環が連れ回りし、フォーカスレンズ群保持部材が正規の位置からずれるのを防止するため、フォーカスレンズ群保持部材の位置を検出するエンコーダに、固定筒に対して摩擦力を与える板ばねを一体に形成したものが知られている。摩擦力の大きさの調整は板ばねの曲げ量を変えることによって行われる。
【特許文献１】特開平１１−３３７８０４号公報
【発明の開示】
【発明が解決しようとする課題】
【０００３】
上記公報記載のレンズ鏡筒で摩擦力の調整を行うにはエンコーダをレンズ鏡筒から取り外し、板ばねの曲げ量を調整した後、再度鏡筒に取り付けるという工程が必要であり、作業工数が多く、摩擦力の調整に多くの時間がかかってしまうという問題がある。
【０００４】
この発明の課題は移動筒に付与する摩擦負荷を容易に調整できるようにすることである。
【課題を解決するための手段】
【０００５】
上記課題を解決するため請求項１記載の発明は、固定筒に移動自在に支持され、前記固定筒に保持される移動レンズ群保持筒の駆動に供される移動筒と、前記固定筒と前記移動筒とのいずれか一方に取付けられ、他方と接触することにより、前記移動筒に移動抵抗を付与する摩擦負荷発生部材と、前記移動筒の移動を第１範囲に規制する第１規制手段と、  前記第１規制手段を解除したときに、前記移動筒を前記第１範囲外の第２範囲に規制する第２規制手段と、前記移動筒が第２範囲にあるときに、前記固定筒と前記移動筒とのいずれか一方との前記摩擦負荷発生部材の接触を解除する接触解除手段とを備えていることを特徴とする。
【０００６】
請求項２に記載の発明は、請求項１記載のレンズ鏡筒において、前記摩擦負荷発生部材は板ばねであり、前記接触解除手段は前記固定筒と前記移動筒のいずれか一方の前記摩擦負荷発生部材が接触する筒に設けられた段差部であることを特徴とする。
【０００７】
請求項３に記載の発明は、請求項１又は２記載のレンズ鏡筒において、前記移動レンズ群保持筒の位置検出に供される位置検出部材を備え、前記位置検出部材と前記摩擦負荷発生部材が一体に形成されていることを特徴とする。
【０００８】
請求項４に記載の発明は、請求項３記載のレンズ鏡筒において、前記位置検出部材は金属板を素材とするブラシとエンコーダ部材であり、前記第２範囲においてもブラシとエンコーダ部材の接触は解除されないことを特徴とする。
【０００９】
請求項５に記載の発明は、請求項１〜４のいずれか１項記載のレンズ鏡筒を備えていることを特徴とするカメラである。
【発明の効果】
【００１０】
この発明によれば、移動筒に付与する摩擦負荷を容易に調整できる。
【発明を実施するための最良の形態】
【００１１】
以下、この発明の実施形態を図面に基づいて説明する。
【００１２】
図１はこの発明の一実施形態に係るレンズ鏡筒の断面を示す概念図である。
【００１３】
レンズ鏡筒１００は、カメラボディ５０に着脱可能に装着される交換レンズ鏡筒であり、固定レンズ群１２、固定レンズ保持枠２５、フィルタ環１９、ＭＦ環１、移動レンズ群１３、移動レンズ群保持枠４、絞りユニット４０、固定筒６、ギア筒（移動筒）３、エンコーダ（位置検出部材）９等を備えている。
【００１４】
固定レンズ群１２、移動レンズ群１３は、被写体光をカメラボディ５０に内蔵された図示しない撮像部に導く撮影光学系を形成する。
【００１５】
固定レンズ群１２は、固定筒６の光軸方向被写体側の端部に固定レンズ保持枠２５を用いて固定されている。固定レンズ保持枠２５は固定レンズ群１２を保持する枠体であり、その全体的な形状は円環状である。固定レンズ保持枠２５は第１レンズ室２２と第２レンズ室２３とからなる。
【００１６】
固定レンズ群１２はレンズ１２ａ，１２ｂ，１２ｃからなる。レンズ（第１レンズ群）１２ａは第１レンズ室２２に保持され、レンズ（第２レンズ群）１２ｂ，１２ｃは第２レンズ室２３に保持されている。第１レンズ室２２はねじｃによって第２レンズ室２３に固定されている。
【００１７】
第２レンズ室２３はねじｂによって固定筒６に固定されている。
【００１８】
フィルタ環１９はレンズ鏡筒１００に不図示のフィルタやフードを取付けるためのめねじを有する筒であり、その全体的な形状は円環状である。フィルタ環１９の外周面にはＭＦ環１が取り付けられている。ＭＦ環１は歯車軸１Ａ、ギア２を含むギア群（図示せず）を介してギア筒３に接続されている。
【００１９】
ギア２と噛み合うギア筒３は、カム環５に機械的に係合し、アクチュエータ（図示せず）の出力や、ＭＦ環１の回転力をカム環５に伝達する。カム環５は移動レンズ群保持枠４に機械的に係合している。ギア筒３とカム環５とは同一の中心軸Ｏを中心に回転する。
【００２０】
エンコーダ９は移動レンズ群保持枠４の位置を検出するものであり、エンコーダブラシ１０とＦＰＣ９ａとエンコーダ台(第２規制手段)８とを有する。
【００２１】
ギア筒３にはねじｄによってエンコーダブラシ地金３２が固定されている。エンコーダブラシ地金３２にはエンコーダ９のＦＰＣ９ａに所定の圧力で接触するように、金属板を素材とするエンコーダブラシ１０が図示しないビスによって取付けられている。エンコーダブラシ１０とエンコーダ台８に接触する板ばね（摩擦負荷発生部材）１１とは一体に形成されている。板ばね１１はエンコーダ台８と接触することでギア筒３に摩擦抵抗を付与している。
【００２２】
移動レンズ群保持枠４は移動レンズ群１３を保持する枠体であり、その全体的な形状は円環状である。移動レンズ群保持枠４は第１レンズ室１７と第２レンズ室２７とからなる。
【００２３】
移動レンズ群１３は、固定レンズ群１２よりも光軸方向カメラボディ側に配置され、レンズ１３ａ，１３ｂ，１３ｃ，１３ｄからなる。レンズ１３ａ，１３ｂ，１３ｃは第１レンズ室１７に保持され、レンズ１３ｄは第２レンズ室２７に保持されている。
【００２４】
移動レンズ群１３はＭＦ環１の回転によって光軸方向に進退動作する。移動レンズ群１３を光軸方向へ進退動作させることによって撮影光学系の合焦状態を調節して、例えば、被写体に対してピント合わせを行うことができる。なお、レンズ鏡筒１００は、移動レンズ群１３を光軸方向に駆動するアクチュエータ（図示せず）を備え、例えば、カメラボディ５０から発信されるオートフォーカス指示信号に応じて移動レンズ群１３を光軸方向に進退させて自動的にピント合わせを行なうオートフォーカス機能をも有する。
【００２５】
絞りユニット４０は、固定レンズ群１２、移動レンズ群１３によって形成される撮影光学系を通過する被写体光の光量を調節するものであり、固定レンズ群１２と移動レンズ群１３との間に配置されている。絞りユニット４０は複数の絞り羽根を有する公知の光彩絞り装置を備えている。
【００２６】
固定筒６は、レンズ鏡筒１００がカメラボディ５０に装着された状態において、カメラボディ５０に対する移動が制限される筒体である。固定筒６にはビス（第１規制手段）１５が設けられている。ビス１５にギア筒３が当接し、ギア筒３の回転が規制される。また、固定筒６にはエンコーダ台８がビス７,１４（図２（ａ）参照）で取付けられている。
【００２７】
エンコーダ台８には円周方向に沿うようにＦＰＣ９ａが取付けられている。
【００２８】
次に、レンズ鏡筒１００の動作を説明する。
【００２９】
例えば、カメラボディ５０から発信されるオートフォーカス指示信号に応じてアクチュエータが作動することによって、又は撮影者が手でフォーカス操作環１を操作することによって、ギア筒３が光軸周りに回転する。ギア筒３が光軸周りに回転すると、カム環５が回転し、移動レンズ群保持枠４が光軸方向へ移動する。
【００３０】
次に、板ばね１１の摩擦力調整方法を図２（ａ）〜（ｃ）及び図３を用いて説明する。
【００３１】
図２（ａ）〜（ｃ）は固定筒６とギア筒３との関係を説明する図、図３は図２（ｃ）のＡ−Ａ線に沿う断面を示す概念図である。
【００３２】
図２（ａ）はギア筒３及びエンコーダブラシ１０が固定筒６に対して回転可能な状態にあるときを示し、図２（ｂ）はギア筒３がビス１５に当接し、ギア筒３及びエンコーダブラシ１０の回転が規制された状態にあることを示し、図２（ｃ）はビス１５を取り外され、ギア筒３が更に回転してエンコーダブラシ地金３２がエンコーダ台８に当接した状態にあることを示す。なお、ビス１５があるときのギア筒３の移動可能範囲を第１範囲、ビス１５を外したときの第１範囲を除いたギア筒３の移動可能範囲を第２範囲とする。
【００３３】
図２（ｂ）に示すように、ギア筒３及びエンコーダブラシ１０はギア筒３がビス１５に当接するまで回転（図２（ｂ）では下方へ移動）することができる。
【００３４】
ビス１５が外されると、ギア筒３は第１範囲を超えて第２範囲に移動可能となりエンコーダ台８の一端に位置する凸部８ａにエンコーダブラシ地金３２が当接し、ギア筒３の回転が規制される。
【００３５】
エンコーダ台８の凸部８ａのギア筒３に近い部分には傾斜３０が設けられている。ギア筒３が第２範囲を移動して、エンコーダブラシ地金３２がエンコーダ台８に当接するとき、板ばね１１はエンコーダ台８から傾斜３０を通って離れ、エンコーダ台８と固定筒６との段差部によって板ばね１１とエンコーダ台８との接触が解除される。エンコーダブラシ１０とエンコーダ台８との接触は第２範囲においても解除されない。
【００３６】
板ばね１１の固定筒６に対する接触力を調整しようとするときは、ビス１５を取り外し、ギア筒３及びエンコーダブラシ１０をビス１５があった位置を超えて第２範囲に回転させる。ギア筒３及びエンコーダブラシ１０をビス１５があった位置（第１範囲）を超えて回転させると、板ばね１１がエンコーダ台８から離れるので、板ばね１１の曲げ量をピンセット等を用いて調整することができる（図３参照）。なお、図２（ｃ）に示すように、ギア筒３及びエンコーダブラシ１０はエンコーダブラシ地金３２がエンコーダ台８の凸部８ａに当接するまで回転可能である。
【００３７】
この実施形態によれば、板ばね１１がエンコーダ台８から離れ、板ばね１１の曲げ量を調整することができるので、エンコーダブラシ１０をレンズ鏡筒から取り外すことなく固定筒に対する板ばね１１の摩擦力を容易に調整できる。また、エンコーダブラシ１０と板ばね１１とを一体に形成したので、部品点数及び組立工数の削減や製造コストの低減を図ることができる。
【００３８】
なお、本実施例では固定筒６に取付けられたエンコーダ台８に板ばね１１を接触させたが、固定筒６に直接板ばね１１を接触させるようにしてもよい。
【００３９】
また、ギア筒３に摩擦抵抗を付与する板ばね１１は固定筒６に取付け、ギア筒３と接触するようにし、ギア筒３に段差部を形成してもよい。
【図面の簡単な説明】
【００４０】
【図１】図１はこの発明の一実施形態に係るレンズ鏡筒の断面を示す概念図である。
【図２】図２（ａ）〜（ｃ）は固定筒６とギア筒３との関係を説明する図である。
【図３】図３は図２（ｃ）のＡ−Ａ線に沿う断面を示す概念図である。
【符号の説明】
【００４１】
３：ギア筒（移動筒）、４：移動レンズ群保持筒、６：固定筒、８：エンコーダ台(エンコーダ部材、第２規制手段)、９：エンコーダ（位置検出部材）、１０：エンコーダブラシ（ブラシ）、１１：板ばね（摩擦負荷発生手段）、１５：ビス（第１規制手段）、３０：傾斜、５０：カメラ、１００：レンズ鏡筒。
【図１】
2010008722.tif 000003
【図２】
2010008722.tif 000004
【図３】
2010008722.tif 000005